(57)【要約】      （修正有）【課題】ベンチとして使用した場合に、リラックスした状態でくつろぐことができるベンチ兼用布団敷板装置を提供する。従来のベンチにすることができる布団類干し兼用敷布団敷板装置を持ち運びやすくするとともにベンチとして使用する場合および収納する場合にコンパクトにし、さらに、布団干しとして使用する場合は、敷き布団あるいはかけ布団の双方を同時に干すことができ、また、ベンチとした場合に背もたれ部がずれることがない装置を提供する。【解決手段】２個１組のすのこ状敷板のうち、一方のすのこ状敷板は側面視Ｘ字状に展開可能であり他方のすのこ状敷板は、側面視人の字状に展開可能であり、前記一方のすのこ状敷板と前記他方のすのこ状敷板が展開することによって、それぞれ布団干しとすることができ、前記一方のすのこ状敷板と前記他方のすのこ状敷板をそれぞれフラットな状態にして連結部材により結合することで敷布団敷板装置とする。【選択図】図１
2016053267.tif 000002
【特許請求の範囲】
【請求項１】
２個１組のすのこ状敷板からなるベンチ兼布団類干し兼用敷布団敷板装置であって、前記２個１組のすのこ状敷板のうち、一方のすのこ状敷板は側面視Ｘ字状に展開可能であり他方のすのこ状敷板は、側面視人の字状に展開可能であり、前記一方のすのこ状敷板と前記他方のすのこ状敷板が展開することによって、それぞれ布団干しとすることができ、前記一方のすのこ状敷板と前記他方のすのこ状敷板をそれぞれフラットな状態にして連結部材により結合することで敷布団敷板装置とし、前記敷布団敷板装置を分離し、一方のすのこ状敷板をフラットな状態にして床の上に敷設し、他方のすのこ状敷板を側面視人の字状に展開し、その展開した当該他方のすのこ状敷板を前記一方のすのこ状敷板の上に配置するとともに当該他方のすのこ状敷板の背もたれ部を一方のすのこ状敷板の係合部に係合し、支え部を前記一方のすのこ状敷板の後方の係合部に係合することでベンチとすることを特徴とするベンチ兼布団類干し兼用敷布団敷板装置。
【請求項２】
一方のすのこ状敷板の係合部は、横板と横板の隙間であり、後方の係合部は、前記一方のすのこ状敷板の横板と回転体横板の隙間あるいは、回転体横板と回転体横板の隙間であることを特徴とする請求項１記載のベンチ兼布団類干し兼用敷布団敷板装置。
【請求項３】
ベンチ兼布団類干し兼用敷布団敷板装置をベンチとした場合において、前記一方のすのこ状敷板と他方のすのこ状敷板を留め具で固定したことを特徴とする請求項１または２記載のベンチ兼布団類干し兼用敷布団敷板装置。
【請求項４】
留め具は、本体部と複数の突起部を有し、前記複数の突起部のうち少なくとも１の突起部は、前記他方のすのこ状敷板の縦板に配置されている穴部と嵌合し、前記複数の突起部のうち他の少なくとも１の突起部は、一方のすのこ状敷板の縦板に配置されている穴部と嵌合することを特徴とする請求項３記載のベンチ兼布団類干し兼用敷布団敷板装置。
【請求項５】
留め具に一方の面ファスナーを配置し、他方のすのこ状敷板の縦板に他方の面ファスナーを配置したことを特徴とする請求項４記載のベンチ兼布団類干し兼用敷布団敷板装置。
【発明の詳細な説明】
【技術分野】
【０００１】
本発明は、敷布団の下に敷いて使用され、かつまた布団類干しのみならずベンチに転用可能な敷布団敷板装置に関するものである。
【背景技術】
【０００２】
木材を用いてすのこ状に形成した、敷布団敷と布団類干しを兼ねているもののみならずベンチに転用可能な敷布団敷板装置は、特に実用登録第３１８２０８０号公報において、すくなくとも支え部と背もたれ部と座部を有する布団類干し兼用敷布団敷板装置であって、前記支え部と背もたれ部と座部はすのこ状敷板であり、前記支え部と背もたれ部は第１連絡部で接続され、当該背もたれ部と座部は第２連絡部と接続され、前記第１連絡部をやま折りにし、背もたれ部に配置された支持部を前記支え部に係合することによって、前記支え部と背もたれ部を側面視逆Ｖ字状にし、前記第２連絡部をたに折りにすることによって、座部を回動させることにより前記布団類干し兼用敷布団敷板装置をベンチとして使用することを特徴とする布団類干し兼用敷布団敷板装置が開示されている。
【０００３】
上記布団類干し兼用敷布団敷板装置は、敷布団類を敷くためのものであるため敷布団類とほぼ同じ大きさであり、支え部と背もたれ部と座部を有するものである。また、それらは、すのこ状に形成されている。なお、すのこ状とは、竹や板などをすかして貼ったものをいい、板等を張設する場合に隙間が生じているものをいう。材質に限定はないが、特に、桐材または、ヒノキ材を使用する場合は湿気が籠りにくくなるというものである。
【０００４】
上記のとおりベンチにすることができる布団類干し兼用敷布団敷板装置は、それぞれを連絡部で接続した支え部と背もたれ部と座部を、山折りあるいは谷折りにすることによってベンチとしたものであるが、上記のとおり、敷布団とほぼ同形のものを、背もたれ部、支え部、座部にほぼ３分割したものであるので、腰を掛けて足を乗せる座部が比較的長い。したがって、ベンチとして使用した場合に、腰を掛けて足を乗せる部分が大きく、座った際に膝が伸ばされるようになり不自然な姿勢を強いられ、リラックスした状態でくつろぐことができない。また、不使用時には、３つ折りにして畳めるものであるが、ベンチにすることができる布団類干し兼用敷布団敷板装置を三つ折りしたものであるために重量がかさみ、また比較的かさばるものであるために移動に不便である。
【０００５】
また、布団干しとして使用することができるものの、１枚の布団を干すにとどまり、掛け布団と敷布団の両方を同時に干すことはできない。また、例えば、ワンルームマンションにおいて、ベンチとして使用すると、その占有する面積が比較的大であることから、他の物を置くスペースが限られてしまいその限られたスペースを有効に活用することができないという問題がある。
【０００６】
【特許文献１】実用登録第３１８２０８０号公報
【発明の開示】
【発明が解決しようとする課題】
【０００７】
本発明は前記の点に着目してなされたもので、その課題は、ベンチとして使用した場合に、膝がのばされることなく、リラックスした状態でくつろぐことができるベンチ兼用布団敷板装置を提供することを課題とする。また、従来のベンチにすることができる布団類干し兼用敷布団敷板装置を、さらに持ち運びやすくするとともにベンチとして使用する場合および収納する場合にコンパクトにし、さらに、布団干しとして使用する場合は、敷布団及び掛け布団の双方を同時に干すことができ、また、背もたれ部がずれることのないベンチ兼用干し兼用布団敷板装置を提供することを課題とする。
【０００８】
前記の課題を解決するため、本発明は、２個１組のすのこ状敷板からなるベンチ兼布団類干し兼用敷布団敷板装置であって、前記２個１組のすのこ状敷板のうち、一方のすのこ状敷板は側面視Ｘ字状に展開可能であり他方のすのこ状敷板は、側面視人の字状に展開可能であり、前記一方のすのこ状敷板と前記他方のすのこ状敷板が展開することによって、それぞれ布団干しとすることができ、前記一方のすのこ状敷板と前記他方のすのこ状敷板をそれぞれフラットな状態にして連結部材により結合することで敷布団敷板装置とし、前記敷布団敷板装置を分離し、一方のすのこ状敷板をフラットな状態にして床の上に敷設し、他方のすのこ状敷板を側面視人の字状に展開し、その展開した当該他方のすのこ状敷板を前記一方のすのこ状敷板の上に配置するとともに当該他方のすのこ状敷板の背もたれ部を一方のすのこ状敷板の係合部に係合し、支え部を前記一方のすのこ状敷板の後方の係合部に係合することでベンチとするという手段を講じたものである。
【０００９】
このように、２個１組の一方のすのこ状敷板と他方のすのこ状敷板のうち、一方のすのこ状敷板は側面視Ｘ字状に展開可能であり、他方のすのこ状敷板は、側面視人の字状に展開可能であり、一方のすのこ状敷板と他方のすのこ状敷板をそれぞれ展開することで、そのそれぞれを布団干しとすることができ、例えば、一方に掛け布団を、他方に敷布団を干すことができる。また、上記装置を敷布団敷板装置として使用する場合は、一方のすのこ状敷板と他方のすのこ状敷板を、それぞれ閉じてフラットにしたうえで、他方のすのこ状敷板に配置されている連結部材を、一方のすのこ状敷板と連結することによって敷布団敷板として使用することができる。また、前記連結部材による連結を解き、上記敷布団敷板装置を分離して、一方のすのこ状敷板を閉じてフラットな状態にしたまま床の上に敷設し、そのフラットな状態の一方のすのこ状敷板の上に、側面視人の字状に展開した他方のすのこ状敷板を配置することでベンチとして使用することができる。なお、ベンチとは、人が座ることができるものを言い、座椅子もこれに含まれる。
【００１０】
このようにベッドを置くスペースがあれば、このスペースを活用することで、敷布団敷板装置使用することができ、また、ベンチとして使用する場合は、専有面積が、一方のすのこ状敷板の専有面積のみで済むために、ベッドのスペースのほぼ半分のスペースで済みコンパクトに使用することができる。また、他方の敷板装置を展開し、前記他方の敷板装置の背もたれ部を一方のすのこ状敷板の係合部に係合し、支え部を前記一方のすのこ状敷板の後方の係合部に係合することで、ベンチを構成しているので、背もたれ部にもたれかかっても、ずれにくくなる。さらに、一方のすのこ状敷板と他方のすのこ状敷板をそれぞれ展開することにより、敷布団と掛け布団を同時に干すことができる布団干しとして使用することができる。
【００１１】
前記の課題を解決するため、本発明における一方のすのこ状敷板の係合部は、横板と横板の隙間であり、後方の係合部は、前記一方のすのこ状敷板の横板と回転体横板の隙間あるいは、回転体横板と回転体横板の隙間であるという手段を講じたものである。
【００１２】
このように、一方のすのこ状敷板の係合部は、一方のすのこ状敷板の横板と横板の隙間を係合部として、他方のすのこ状敷板の背もたれ部が係合し、一方のすのこ状敷板の後方の係合部は、横板と回転体横板の隙間、あるいは、回転体横板と回転体横板の隙間に、他方のすのこ状敷板の支え部が係合したものであるから、一方のすのこ状敷板上において、展開した他方のすのこ状敷板の背もたれ部にもたれかかっても、当該背もたれ部がずれることがないので、リラックスした状態で座ることができる。
【００１３】
前記の課題を解決するため、本発明は、ベンチ兼布団類干し兼用敷布団敷板装置をベンチとした場合において、前記他方のすのこ状敷板と一方のすのこ状敷板を留め具で固定するという手段を講じたものである。
【００１４】
このように一方のすのこ状敷板と、他方のすのこ状敷板を留め具で固定しているのでベンチとして使用する場合に、横板の長さ方向にもずれる恐れのないベンチ兼布団類干し兼用敷布団敷板装置を提供することができる。
【００１５】
前記の課題を解決するため、本発明における前記留め具は、本体部と複数の突起部を有し、前記複数の突起部のうち少なくとも１の突起部は、前記他方のすのこ状敷板の縦板に配置されている穴部と嵌合し、前記複数の突起部のうち他の少なくとも１の突起部は、一方のすのこ状敷板の縦板に配置されている穴部と嵌合するという手段を講じたものである。留め具のそれぞれの突起部が他方のすのこ状敷板の縦板に配置されている穴部と、一方のすのこ状敷板の縦板に配置されている穴部が、それぞれ嵌合しているので、ベンチとして使用した場合に他方のすのこ状敷板における背もたれ部にもたれかかっても、当該留め具によって、ずれる恐れがないものとなる。
【００１６】
前記の課題を解決するため、本発明における前記留め具に一方の面ファスナーを配置し、他方のすのこ状敷板の縦板に他方の面ファスナーを配置するという手段を講じたものである。留め具に、突起部のみならず一方の面ファスナーを配置してことで、ベンチとした場合に確実に、一方のすのこ状敷板と他方のすのこ状敷板を固定することができる。
【発明の効果】
【００１７】
本発明は、以上の如く構成されるため、ベンチとして使用した場合に、膝がのばされることなく、リラックスした状態でくつろぐことができるベンチ兼用敷布団敷板装置提供することができる。また、従来のベンチにすることができる布団類干し兼用敷布団敷板装置に比べ持ち運びやすくするとともに、ベンチとして使用する場合および収納する場合にコンパクトにすることができ、さらに、布団干しとして使用する場合は、敷き布団あるいはかけ布団の双方を同時に干すことができる、ベンチ兼布団干し兼用敷布団敷板装置を提供することができる。また、背もたれ部がずれることのないベンチ兼用干し兼用布団敷板装置を提供することことができる。
【図面の簡単な説明】
【００１８】
【図１】布団類干し兼用敷布団敷板装置の斜視図。
【図２】Ａは、布団類干し兼用敷布団敷板装置の側面図図。Ｂは、布団類干し兼用敷布団敷板装置の拡大側面図
【図３】Ａは、分離して、フラットな状態にした一方のすのこ状敷板の斜視図。Ｂは、分離して、フラットな状態にした他方のすのこ状敷板の後方斜視図。Ｃは、留め具の斜視図
【図４】一方のすのこ状敷板の斜視図
【図５】一方のすのこ状敷板の後方斜視図
【図６】一方のすのこ状敷板において布団を干した状態の側面図
【図７】他方のすのこ状敷板の斜視図
【図８】他方のすのこ状敷板の後方斜視図
【図９】他方のすのこ状敷板において布団を干した状態の側面図
【図１０】ベンチにした状態の布団類干し兼用敷布団敷板装置の斜視図
【図１１】ベンチにした状態の布団類干し兼用敷布団敷板装置の後方斜視図
【図１２】ベンチにした状態の布団類干し兼用敷布団敷板装置の側面図
【発明を実施するための最良の形態】
【００１９】
ベンチ兼布団類干し兼用敷布団敷板装置１０は、布団類を敷くためのものであるため布団類とほぼ同じ大きさである。布団類干し兼用敷布団敷板装置１０は、一方のすのこ状敷板２０と他方のすのこ状敷板６０で構成され、連結部材８０、８０で連結されている。一方のすのこ状敷板２０は、ベンチ兼布団類干し兼用敷布団敷板装置１０のほぼ半分の大きさであり、他方のすのこ状敷板６０とほぼ同様の大きさである。
【００２０】
一方のすのこ状敷板２０は、敷板本体３０と回転体５０を有する。敷板本体３０は、後述するように、横板３１を縦板４１、４２、４３、４４に、釘などの固定具Ｐで取り付ける。また、横板３２、３３、３４、３５を、一定の隙間を開けるように縦板４１、４２、４３、４４に、釘などの固定具Ｐで取り付ける、このように、空気が流通するように一定の隙間が生じるように構成されている。また、短い横板３６は縦板４１、４２に渡すように配置され、短い横板３７は縦板４３、４４を渡すように釘などの固定具Ｐで取り付けられている。
【００２１】
回転体５０は、回転体横板５１、５２と短い回転体横板５３が回転体縦板５５、５６に釘などの固定具Ｐで取り付けられている。回転体５０は支軸５７、５７を有し、敷板本体３０の縦板４２、４３に回転可能に取りつけられている。
【００２２】
横板３６、３７は横板３１よりも横幅が短く構成される。これは、後に述べる様に、当該回転体５０が、回動することによって、展開した状態から、フラットなすのこ状敷板２０に戻すために、一方の回転体５０を閉じるようにして敷板本体３０の内側に入ることによって、敷板本体３０と当該回転体５０が一体となり、短い回転体横板５３と前記短い横板３６、３７がほぼ一連となる。それによって、それらが横板３１とほぼ同じ長さになるように構成するためである（図１、３参照）。
【００２３】
また、回転体横板５１、５２は、横板３１、３２、３３、３４、３５とほぼ同様の大きさであり、フラットなすのこ状敷板２０に戻すために、一方の回転体５０を閉じることによって、敷板本体３０と当該回転体５０が一体となるように回動させた場合に、一方のすのこ状敷板２０は、順に横板３１、回転体横板５１、５２、横板３２、３３、３４、３５が縦板４１、４２、４３、４４に取り付けられ、前記横板３１、３２、３３、３４、３５及び回転体横板５１、５２を、隙間を生じ、透かして取り付けた状態となり、すのこ状を呈するものとなる（図１、３参照）。
【００２４】
なお、回転体５０が敷板本体３０の内側に入り、すのこ状敷板２０は、敷板本体３０と一方の回転体５０が一体となるように構成されているので、すのこ状敷板２０の厚みが、敷板本体３０の厚みと変わることがなく、布団類干し兼用敷布団敷板装置１０を使用しない場合に嵩張ることがない。
【００２５】
また上記のとおり回転体５０は、支軸５７、５７により敷板本体３０と回転可能に軸支されている。従って、敷板本体３０に対して回転体５０を、支軸５７、５７を中心として側面視Ｘ字状に開くことができ、回転体５０は、敷板本体３０を支えることができる。また、一方の回転体５０の上端部５０ａと敷板本体３０の上端部３０ａは、すのこ状敷板２０が布団類干しとして機能する場合に、前記回転体５０の上端部５０ａと前記敷板本体３０の上端部３０ａとで布団類Ｗを支えることができる。また、開閉制限部材４６は敷板本体３０と一方の回転体４０の開閉位置を一定の角度以上に広がらないように制限するためのものであり、柔軟な帯状であることが好ましい（図６参照）。
【００２６】
他方のすのこ状敷板６０は、背もたれ部７０と支え部９０を有し、横板７１、７２、７３、７４、７５、７６を、縦板８１、８２、８３、８４に渡すように、釘などの固定具Ｐで隙間を開けて取り付けることで空気を流通させることができるように構成されている。また、横板７７、７７、７８、７８は横板７１、７２、７３、７４、７５、７６よりも横幅が短く構成される。またすでに述べたように連結部材８０、８０は、敷布団敷板装置として使用するために、一方のすのこ状敷板２０と他方のすのこ状敷板６０を連結するためのものである。
【００２７】
支え部９０は、縦板９１、９２と支え部横板９３、９４を有し、支え部横板９３、９４は、前記縦板９１、９２に渡すように取り付けられている。支軸９５、９５は縦板９１、９２の上端部に取り付けられており、この支軸９５、９５を文字通り軸として側面視人の字状に回動可能に取り付けられている。また、開閉制限部材９７、９７がそれぞれ支え部９０における縦板９１、９２と、縦板８１、８２に取り付けられ、背もたれ部７０と支え部９０を一定の角度以上に開かないように制限している。これらの開閉制限部材９７、９７は柔軟な帯状であることが好ましい。
【００２８】
支え部横板９３、９４も、前記横板７１、７２、７３、７４、７５、７６よりも横幅が短く構成される。これは、フラットな、すのこ状敷板６０に戻すために、背もたれ部７０と支え部９０を閉じる。すなわち、支え部９０が背もたれ部７０の内側に入り、支え部９０と背もたれ部７０が一体となる場合において、横板７７、７７、７８、７８が、前記支え部横板９３、９４とほぼ一連となることによって、それらが横板７１、７２、７３、７４、７５、７６とほぼ同じ長さになるようするためである（図１、３参照）。
【００２９】
また、支え部９０が背もたれ部７０の内側に入り、他方のすのこ状敷板６０は、背もたれ部７０と支え部９０が一体となるように構成されているので、すのこ状敷板６０の厚みが背もたれ部７０の厚みと変わることがなく、布団類干し兼用敷布団敷板装置１０を使用しない場合に嵩張ることがない。
【００３０】
ベンチとして使用する場合は、一方のすのこ状敷板２０は、敷板本体３０に回転体５０を、閉じてすのこ状の敷板とし、フラットになった状態で、床の上に敷設する。その後、他方のすのこ状敷板６０を側面視人の字状に展開する。このとき、背もたれ部７０を、一方のすのこ状敷板２０の係合部Ｘに係合することができる。ここで係合部Ｘとは隙間Ｘ１、Ｘ２、Ｘ３、Ｘ４のいずれかが好ましい。隙間Ｘ１は横板３３と横板３２の間の部分であり、隙間Ｘ２は、横板３３と横板３４の間の部分である。また、隙間Ｘ３は、横板３２と回転横板５２の間の部分である。また、隙間Ｘ４は、横板３４と横板３５の間の部分である。もっともこれらの隙間に限られず、一方の敷板２０に腰を掛けられれば、その隙間の位置に限定はない。
【００３１】
尚、支え部９０を一方のすのこ状敷板２０の後方の係合部Ｙに係合する。後方の係合部Ｙとは隙間Ｙ１、Ｙ２、Ｙ３をいい、隙間Ｙ１は、横板３１と回転横板５１の間の部分であり、隙間Ｙ２は、回転横板５１と回転横板５２の間の部分である、また、隙間Ｙ３は、回転横板５２と横板３２の間の部分である。
【００３２】
また、後方とは、図１２において、横板３３に対して横板３６の方向が前方である場合に、横板３３に対して横板３１の方向が後方である。したがって、支え部９０は、背もたれ部７０の後方において一方のすのこ状敷板２０と係合するものである。従って、例えば背もたれ部７０が隙間Ｘ３と係合した場合は、支え部９０は隙間Ｙ１あるいはＹ２と係合することになる。よって、背もたれ部７０と支え部９０が同じ隙間に係合しないことが好ましい。
【００３３】
支え部９０は隙間Ｙ１、Ｙ２に限られず、隙間Ｙ３に係合しても好ましい。好みに応じて、背もたれ部をリクライニングできる構成である。なお、背もたれ部７０は隙間Ｘ１と係合することが好ましい。また、隙間Ｘ1のみならず隙間Ｘ２、Ｘ３、Ｘ４に係合してベンチとして使用した場合においても、膝が不必要に伸ばされることなく、リッラクスすることができる。
【００３４】
留め具１００は、本体１０１の両端に突起部１０２、１０３を有し、前記突起部１０２、１０３の間に一方の面ファスナー部１０４が配置されている。留め具１００の突起部１０２は、敷板本体３０における縦板４１のほぼ中央部に配置した穴部４１ａに嵌合することができる。また突起部１０３は、背もたれ部７０における縦板８１の下方にある穴部８１ａと嵌合する。また当該穴部８１ａの下方に他方の面ファスナー部８１ｂを設けているので、上記一方の面ファスナー部１０４と面接触することで固定することができる。なお、一方の面ファスナー部１０４は細かい多数のループ状の部材を設け、他方の面ファスナー部８１ｂには細かい複数のフック状の部材を設けた周知のものであり、それらが逆であるかまたは、フックとループの混合したものであっても好ましい。
【００３５】
留め具１００′も留め具１００と同一であり、上記と同様であるが、念のため説明すると該留め具１００′の突起部１０２は、敷板本体３０における縦板４４のほぼ中央部に、配置した穴部４４ａに嵌合することができる。また、突起部１０３は、背もたれ部７０における縦板８３の下方にある図示しない穴部と嵌合する。また、当該穴部の下方に他方の面ファスナー部８４ｂを設けているので、上記面ファスナー部９４と面接触することで固定される。したがってこの留め具１００、１００′で、一方のすのこ状敷板２０の上に、展開した他方のすのこ状敷板６０を配置してベンチとして使用する場合においても、一方のすのこ状敷板２０と、展開した他方のすのこ状敷板６０がずれる恐れが少ないものとなる。
【００３６】
ベンチとして使用する場合にフラットになった一方のすのこ状敷板２０に腰を落とすと、他方のすのこ状敷板６０における背もたれ部７０は、前記一方のすのこ状敷板２０の隙間Ｘ１あるいは隙間Ｘ２、Ｘ３のいずれかに係合しているため、背もたれぶ７０がずれることなく、また、足を乗せる部分が、一方のすのこ状敷板２０のほぼ半分程度以下しかないために、膝が不自然に伸ばされるものではなく自然に曲がるように座ることができリラックスすることができる。なお、支え部９０は隙間Ｙ１に限られず隙間Ｙ２、場合によってＹ３に係合することで好みの角度にリクライニングできることは上述のとおりである。なお、他方のすのこ状敷板６０における背もたれ部７０を、前記一方のすのこ状敷板２０の隙間Ｘ２あるいはＸ３に係合した場合に留め具１００の突起部１０２は、敷板本体３０における縦板４１の穴部４１ｂあるいは４１Ｃに嵌合することが好ましい。同様に留め具１００′は、縦板４４の穴部４４ｂあるいは４４Ｃに嵌合することが好ましい。
【００３７】
また、ベンチとして使用したものを布団干しとして使用する場合は、上記止め具１００、１００′を取り外し、一方のすのこ状敷板２０の上から、展開した他方のすのこ状敷板６０を取り除く。なお取り外した留め具１００は穴部８１ａ、８１ｃに取り付け、他方の面ファスナー８１ｄと上記止め具１００における一方の面ファスナー１０４とで固定することにより当該留め具１００を保持することができ、いわゆるホルダーとすることができる。留め具１００′も同様に穴部８４ａ、８４ｃに取り付け、面ファスナー８４ｄと上記止め具１００′における面ファスナー１０４とで固定することにより当該留め具１００′を保持することができホルダーとすることができる。また、敷き布団敷きとして使用していたものを、布団類干しとして使用する場合は、一方のすのこ状敷板２０と他方のすのこ状敷板６０を結合している連結部材８０、８０の結合を解き、一方のすのこ状敷板２０と他方のすのこ状敷板６０を分離する。
【００３８】
ここで一方のすのこ状敷板２０の回転体５０を敷板本体３０に対して支軸５７、５７を中心として回動させる。すなわち、回転体５０が敷板本体３０の内側に入り、回転体５０と敷板本体３０が一体となった状態から、回転体５０と敷板本体３０を開き、前記回転体５０と敷板本体３０が側面視Ｘ字状をなすように展開する（図４、５、６参照）。その場合回転体５０は、敷板本体３０を自立可能に支えることができる。このように、すのこ状敷板２０を布団類干しとしたものに布団類Ｗを掛けると、当該布団類Ｗは敷板本体３０における上端部３０ａと他方の回転体５０における上端部５０ａに渡って掛けることができる。前記敷板本体３０における上端部３０ａと、他方の回転体５０における上端部５０ａは、布団類干し兼用敷布団敷板装置１０の横幅と同じであるため、布団類Ｗの２か所Ｓ、Ｔにおいて布団類Ｗのほぼ全幅方向にわたって支えることができるので、布団類Ｗにかかる荷重を分散させることができ、布団類Ｗの傷みが少なく中綿が偏ることがない。また、布団類Ｗを支える上記２か所Ｓ、Ｔの位置が離れているため、布団類の裏側の対向面Ｗ1、Ｗ2を離すことができ、空気を流通させることにより、湿気がこもりにくいものとなる。
【００３９】
他方のすのこ状敷板６０は、ベンチにした状態で既に展開された状態となっているが、フラットとなった状態の場合は、支軸９５、９５を中心として、背もたれ部７０に対して支え部９０を回動させる。すなわち、支え部９０が背もたれ部７０の内側に入り、当該背もたれ部７０から、支え部９０が一体となった状態から、支え部９０と背もたれ部７０を開き、前記背もたれ部７０と、支え部９０が側面視人の字状をなすようにする（図７、８、９参照）。その場合支え部９０は背もたれ部７０を支えることができる。このようにすのこ状敷板６０を布団類干しとすることができ、布団類Ｗを掛けると、当該布団類Ｗは背もたれ部７０の上端部７０ａに掛けることができる。このようにして、一方のすのこ状敷板２０と、他方のすのこ状敷板６０はそれぞれ布団干しとして使用することができる。尚、布団類干しとした他方のすのこ状敷板６０に洗濯物を干すことができることは云うまでもない。
【００４０】
次に布団敷板装置として使用する場合は、展開した一方のすのこ状敷板２０を閉じるように、敷板本体３０に回転体５０を一体とする。さらに、展開した他方のすのこ状敷板６０も閉じるように、背もたれ部７０と支え部９０を一体とする。このように、一方のすのこ状敷板２０と他方のすのこ状敷板６０は、共にフラットな状態となる。
【００４１】
このようにフラットとなった一方のすのこ状敷板２０と他方のすのこ状敷板６０を結合させて布団敷板装置とするためには、図１のように一方のすのこ状敷板２０と他方のすのこ状敷板６０における横板３１等を上になるようにして配置し、前記他方のすのこ状敷板６０の連結部材８０、８０を、前記一方のすのこ状敷板２０の敷板本体３０の横板３１の下を通過させ、回転体５０における回転横板５１に取り付けることで、一方のすのこ状敷板２０と他方のすのこ状敷板６０を結合することができる（図２Ａ、Ｂ参照）。
【００４２】
このように、一方のすのこ状敷板２０と他方のすのこ状敷板６０を、連結部材８０、８０によって結合したベンチ兼用布団類干し兼用敷布団敷板装置１０は、一方のすのこ状敷板２０における一方の回転体５０の回転横板５１、５２が、一方のすのこ状敷板２０における敷板本体３０の縦板４１、４２、４３、４４と接近することにより、すのこ状の一部をなし、さらに短い回転横板５３も敷板本体３０における横板３６、３７と連なり、すのこ状の一部をなす（図１、３参照）。
【００４３】
また、他方すのこ状敷板６０における、背もたれ部７０と支え部９０も同様である。従って、全体としてみれば布団類干し兼用敷布団敷板装置１０はすのこ状であり縦板と横板から構成され、横板同士の隙間が生じているので（図１参照）、布団類を布団類干し兼用敷布団敷板装置１０に敷いても蒸れにくいものとなる。
【００４４】
このように、就寝時は、敷布団敷きとして使用することができるとともに、それを分離したうえで、さらに上記のとおり組み立てればてベンチとして使用することができる。また、布団干しとして、掛け布団と敷き布団をそれぞれ干すことができる。
【００４５】
布団類干し兼用敷布団敷板装置１０は、合成樹脂でも製作することができるが、木材を使用することが木材工業の活性化を図ることができるため好ましく、より好ましくは軽量であって湿気に適した桐材を使用することが好ましい。また桧材は防虫効果があるのでそれを使用することも好ましい。
【符号の説明】
【００４６】
１０    布団類干し兼用敷布団敷板装置
２０    一方のすのこ状敷板
３０    敷板本体
４１、４２、４３、４４  縦板
４１ａ、４１ｂ、４１ｃ、４１ｄ  穴部
５０    回転体
６０    他方のすのこ状敷板
７０    背もたれ部
８０    連結部材
８１、８２、８３、８４    縦板
８１ａ  穴部
８１ｂ  面ファスナー
９０    支え部
１００、１００′留め具
１０２、１０３、突起部
１０４  面ファスナー
Ｘ      係合部
Ｘ１、Ｘ２、Ｘ３  隙間  
Ｙ      後方の係合部
Ｙ１、Ｙ２、Ｙ３  隙間
【図１】
2016053267.tif 000003
【図２】
2016053267.tif 000004
【図３】
2016053267.tif 000005
【図４】
2016053267.tif 000006
【図５】
2016053267.tif 000007
【図６】
2016053267.tif 000008
【図７】
2016053267.tif 000009
【図８】
2016053267.tif 000010
【図９】
2016053267.tif 000011
【図１０】
2016053267.tif 000012
【図１１】
2016053267.tif 000013
【図１２】
2016053267.tif 000014